(57)【要約】      （修正有）【課題】ユーザが簡単な設定によってカスタマイズコンテンツを容易に得ることができるようにする。【解決手段】ユーザ装置側からネットワークを介してコンテンツデータを受信するデータ受信手段と、前記受信したコンテンツデータのフォーマットを分析してユーザマルチメディアデータとユーザ著作情報とに分類し、ユーザマルチメディアデータのメタデータを抽出するデータ分析手段と、ユーザマルチメディアデータをユーザ著作情報に応じて著作してカスタマイズデータを生成するカスタマイズデータ符号化手段と、抽出したメタデータ及びユーザ著作情報を用いてカスタマイズデータに対する新しいメタデータを生成するメタデータ生成手段と、生成したカスタマイズデータと生成したメタデータとを１つのカスタマイズコンテンツデータとして多重化する手段と、前記カスタマイズコンテンツデータを前記カスタマイズコンテンツユーザ装置側に送信する手段とを備える。【選択図】図３
2009089350.tif 000002
【特許請求の範囲】
【請求項１】
カスタマイズコンテンツを提供するためのユーザ装置において、
ユーザマルチメディアデータを外部から受信するデータ入力手段と、
前記ユーザマルチメディアデータに対するユーザ著作情報をユーザの要求に応じて設定する著作情報設定手段と、
前記ユーザマルチメディアデータ及び前記ユーザ著作情報を符号化してコンテンツデータを生成するデータ符号化手段と、
前記生成したコンテンツデータをネットワークを介してカスタマイズコンテンツ著作装置側に送信するデータ送信手段と、
前記カスタマイズコンテンツ著作装置側から送信されたカスタマイズデータを受信するデータ受信手段と、
前記受信したカスタマイズデータからカスタマイズコンテンツデータを抽出し、当該抽出したカスタマイズコンテンツデータを出力するデータ出力手段と
を備えることを特徴とするネットワーク基盤のカスタマイズコンテンツを提供するためのユーザ装置。
【請求項２】
前記著作情報設定手段が、
前記入力されたユーザマルチメディアデータのうち、互いに異なるマルチメディアデータが接続される特殊効果に関する特殊効果情報を前記ユーザの要求に応じて設定する特殊効果調整手段と、
前記特殊効果が挿入される時間間隔に対する時間調整情報を、前記ユーザの要求に応じて設定する時間調整手段と、
前記ユーザマルチメディアデータに挿入しようとする字幕に対する字幕挿入情報を前記ユーザの要求に応じて設定する字幕編集手段と
を備えることを特徴とする請求項１に記載のネットワーク基盤のカスタマイズコンテンツを提供するためのユーザ装置。
【請求項３】
前記著作情報設定手段が、
前記ユーザマルチメディアデータの著作環境に対する著作オプション情報のみを前記ユーザ著作情報に含ませることを特徴とする請求項１又は２に記載のネットワーク基盤のカスタマイズコンテンツを提供するためのユーザ装置。
【請求項４】
カスタマイズコンテンツを提供するための著作装置において、
カスタマイズコンテンツユーザ装置側からネットワークを介してコンテンツデータを受信するデータ受信手段と、
前記受信したコンテンツデータのフォーマットを分析してユーザマルチメディアデータ及びユーザ著作情報に分類し、前記ユーザマルチメディアデータのメタデータを抽出するデータ分析手段と、
前記ユーザマルチメディアデータを前記ユーザ著作情報に応じて著作してカスタマイズデータを生成するカスタマイズデータ符号化手段と、
前記抽出したメタデータ及び前記ユーザ著作情報を用いてカスタマイズデータに対する新しいメタデータを生成するメタデータ生成手段と、
前記生成したカスタマイズデータと前記生成したメタデータとを１つのカスタマイズコンテンツデータとして多重化する多重化手段と、
前記カスタマイズコンテンツデータを前記カスタマイズコンテンツユーザ装置側に送信するデータ送信手段と
を備えることを特徴とするネットワーク基盤のカスタマイズコンテンツを提供するための著作装置。
【請求項５】
前記受信したコンテンツデータが符号化されていると、前記コンテンツデータを復号化して前記データ分析手段に伝達する復号化手段を更に備えることを特徴とする請求項４に記載のネットワーク基盤のカスタマイズコンテンツを提供するための著作装置。
【請求項６】
前記カスタマイズデータ符号化手段が、
著作情報を受信する著作情報入力手段と、
前記入力した著作情報に応じて前記ユーザマルチメディアデータを著作し、カスタマイズデータを生成するカスタマイズデータ生成手段と、
前記生成したカスタマイズデータを符号化する符号化手段と
を備えることを特徴とする請求項４又は５に記載のネットワーク基盤のカスタマイズコンテンツを提供するための著作装置。
【請求項７】
前記著作情報入力手段が、
前記データ分析手段で分類したユーザ著作情報、予め設定されている基本著作情報、又は予め入力された著作情報のうち、任意に選択された著作情報を受信することを特徴とする請求項６に記載のネットワーク基盤のカスタマイズコンテンツを提供するための著作装置。
【請求項８】
前記著作情報が、
特殊効果情報、時間調整情報、及び字幕挿入情報を含むことを特徴とする請求項６に記載のネットワーク基盤のカスタマイズコンテンツを提供するための著作装置。
【請求項９】
前記カスタマイズデータ生成手段が、
前記ユーザマルチメディアデータに含まれたコンテンツのそれぞれの類型に応じて前記ユーザマルチメディアデータを著作することを特徴とする請求項６に記載のネットワーク基盤のカスタマイズコンテンツを提供するための著作装置。
【請求項１０】
前記カスタマイズデータ生成手段が、
前記ユーザ著作情報に含まれた著作オプション情報と予め設定された著作情報とを用いて前記ユーザマルチメディアデータを著作することを特徴とする請求項６に記載のネットワーク基盤のカスタマイズコンテンツを提供するための著作装置。
【請求項１１】
カスタマイズコンテンツ提供方法において、
ユーザマルチメディアデータを外部から受信するデータ入力ステップと、
前記ユーザマルチメディアデータに対するユーザ著作情報をユーザの要求に応じて設定する著作情報設定ステップと、
前記ユーザマルチメディアデータ及び前記ユーザ著作情報を符号化してコンテンツデータを生成するデータ符号化ステップと、
前記生成したコンテンツデータをネットワークを介してカスタマイズコンテンツ著作装置側に送信するデータ送信ステップと、
前記カスタマイズコンテンツ著作装置側より送信されたカスタマイズデータからカスタマイズコンテンツデータを抽出し、当該抽出したカスタマイズコンテンツデータを出力するデータ出力ステップと
を含むことを特徴とするユーザ装置におけるネットワーク基盤のカスタマイズコンテンツ提供方法。
【請求項１２】
前記著作情報設定ステップが、
前記入力されたユーザマルチメディアデータのうち、互いに異なるマルチメディアデータが接続される特殊効果に関する特殊効果情報を前記ユーザの要求に応じて設定する特殊効果調整ステップと、
前記特殊効果が挿入される時間間隔に対する時間調整情報を前記ユーザの要求に応じて設定する時間調整ステップと、
前記ユーザマルチメディアデータに挿入しようとする字幕に対する字幕挿入情報を前記ユーザの要求に応じて設定する字幕編集ステップと
を含むことを特徴とする請求項１１に記載のユーザ装置におけるネットワーク基盤のカスタマイズコンテンツ提供方法。
【請求項１３】
前記著作情報設定ステップが、
前記ユーザマルチメディアデータの著作環境に対する著作オプション情報のみを前記ユーザ著作情報に含ませることを特徴とする請求項１１又は１２に記載のユーザ装置におけるネットワーク基盤のカスタマイズコンテンツ提供方法。
【請求項１４】
カスタマイズコンテンツ著作方法において、
カスタマイズコンテンツユーザ装置側からネットワークを介して受信したコンテンツデータのフォーマットを分析してユーザマルチメディアデータ及びユーザ著作情報に分類し、前記ユーザマルチメディアデータのメタデータを抽出するデータ分析ステップと、
前記ユーザマルチメディアデータを前記ユーザ著作情報に応じて著作してカスタマイズデータを生成するカスタマイズデータ符号化ステップと、
前記抽出したメタデータ及び前記ユーザ著作情報を用いてカスタマイズデータに対する新しいメタデータを生成するメタデータ生成ステップと、
前記生成したカスタマイズデータと前記生成したメタデータとを１つに合わせてカスタマイズコンテンツデータとして多重化し、当該多重化したカスタマイズコンテンツデータを前記カスタマイズコンテンツユーザ装置側に送信するデータ送信ステップと
を含むことを特徴とするネットワーク基盤のカスタマイズコンテンツを提供するための著作方法。
【請求項１５】
前記受信したコンテンツデータが符号化されていると、前記コンテンツデータを復号化する復号化ステップを更に備えることを特徴とする請求項１４に記載のネットワーク基盤のカスタマイズコンテンツを提供するための著作方法。
【請求項１６】
前記カスタマイズデータ符号化ステップが、
特殊効果情報、時間調整情報、及び字幕挿入情報を備える著作情報を受信する著作情報入力ステップと、
前記入力した著作情報に応じて前記ユーザマルチメディアデータを著作し、カスタマイズデータを生成するカスタマイズデータ生成ステップと、
前記生成したカスタマイズデータを符号化する符号化ステップと
を含むことを特徴とする請求項１４又は１５に記載のネットワーク基盤のカスタマイズコンテンツを提供するための著作方法。
【請求項１７】
前記著作情報入力ステップが、
前記データ分析ステップで分類したユーザ著作情報、予め設定されている基本著作情報、又は予め入力された著作情報のうち、任意に選択された著作情報を受信することを特徴とする請求項１６に記載のネットワーク基盤のカスタマイズコンテンツを提供するための著作方法。
【請求項１８】
前記カスタマイズデータ生成ステップが、
前記ユーザマルチメディアデータに含まれたコンテンツのそれぞれの類型に応じて前記ユーザマルチメディアデータを著作することを特徴とする請求項１６に記載のネットワーク基盤のカスタマイズコンテンツを提供するための著作方法。
【請求項１９】
前記カスタマイズデータ生成ステップが、
前記ユーザ著作情報に含まれた著作オプション情報と予め設定された著作情報とを用いて前記ユーザマルチメディアデータを著作することを特徴とする請求項１６に記載のネットワーク基盤のカスタマイズコンテンツを提供するための著作方法。
【発明の詳細な説明】
【技術分野】
【０００１】
本発明は、ネットワーク基盤のカスタマイズコンテンツを提供するためのユーザ装置及びその方法並びに著作装置及びその方法に関し、更に詳しくは、ユーザ側からマルチメディアデータ（例えば、イメージ、音楽、ビデオクリップなど）及び著作情報を送信すると、カスタマイズ著作装置側では、送信された著作情報に応じてマルチメディアデータをカスタマイズコンテンツとして著作し、ユーザ側にカスタマイズコンテンツを送信することにより、ユーザが簡単な設定によってカスタマイズコンテンツを容易に得ることができるようにする、ネットワーク基盤のカスタマイズコンテンツを提供するためのユーザ装置及びその方法並びに著作装置及びその方法に関する。
【背景技術】
【０００２】
近年、広帯域ネットワークの発達、インターネットによる個人ブログ、及び双方向放送の出現は、個人型マルチメディアコンテンツの急激な量産を招いている。
【０００３】
従来のマルチメディアコンテンツ製作技術では、一般のユーザが汎用画像取得装置から得た停止画像やビデオクリップファイルなどを高価なソフトウェア編集装置を介して直接画像編集しており、加工されたマルチメディア動画を得ている。しかし、このような従来の技術は、ユーザが本人のコンピュータハードウェア環境内に高価なソフトウェアを設置した後、直接コンテンツを製作する方法がほとんどであった。
【０００４】
例外的として、オンラインネットワークを介してコンテンツを製作するマルチメディアコンテンツ製作サービスがある。しかし、マルチメディアコンテンツ製作サービスは、オンラインネットワークを介してコンテンツを製作するが、一般的に、ホームページの製作やＣＤ／ＤＶＤタイトルの製作程度といった水準の低いものに留まっている。また、一般のユーザが様々な特殊効果や字幕などを挿入してマルチメディアコンテンツを製作することは容易ではない。このため、個人的に、高価なソフトウェアを購買しなければならないという問題がある。
【０００５】
従来のコンテンツ著作技術は、従来のコンテンツ著作プログラム（例えば、「Ｐｉｎａｃｌｅ  ｓｔｕｄｉｏ」、「Ｓｏｎｙ  Ｖｅｇａｓ」、及び「Ａｄｏｂｅ  Ｐｒｅｍｉｅｒｅ」など）を使用するために、ユーザがこのような複雑なコンテンツ著作プログラムの使用法を熟知する努力及び時間を必要とし、コンテンツ著作プログラムを用いてユーザの要求に応じたコンテンツを製作する努力が増えるという問題点がある。
【０００６】
また、従来のコンテンツ著作技術は、ユーザ本人のコンピュータハードウェア環境内に高価なソフトウェアを設置した後、直接コンテンツを製作しなければならないため、コンテンツ著作プログラムだけでなく、相応のハードウェアをユーザ端末に別途に設置すべき問題点があり、コンテンツ著作環境を構築するための費用及び努力が増えるという問題点がある。
【０００７】
なお、従来のコンテンツ著作技術は、新しいコンテンツ著作機能のために新しい著作プログラムを設置するか、又は、周期的にプログラム及びハードウェアをアップデートしなければならないため、コンテンツ著作プログラムの初期費用だけでなく、付加的な費用及び時間がかかるという問題点がある。
【発明の開示】
【発明が解決しようとする課題】
【０００８】
本発明は、上記した従来の技術の問題を解決するために提案されたものであって、その目的は、ユーザ側からマルチメディアデータ（例えば、イメージ、音楽、ビデオクリップなど）及び著作情報を送信すると、カスタマイズ著作装置側では、送信された著作情報に応じてマルチメディアデータをカスタマイズコンテンツとして著作し、ユーザ側にカスタマイズコンテンツを送信することにより、ユーザが簡単な設定によってカスタマイズコンテンツを容易に得ることができるようにする、ネットワーク基盤のカスタマイズコンテンツを提供するためのユーザ装置及びその方法並びに著作装置及びその方法を提供することにある。
【０００９】
本発明の目的は、以上で言及した目的に制限されることなく、言及されていない本発明の他の目的及び長所は、下記の説明によって理解され得るし、本発明の実施形態によって更に明らかに分かるはずである。また、本発明の目的及び長所は、特許請求の範囲に示した手段及びその組み合わせによって実現できることが容易に分かるであろう。
【課題を解決するための手段】
【００１０】
そこで、上記の目的を達成するための本発明は、ユーザ側でマルチメディアデータ（例えば、イメージ、音楽、ビデオクリップなど）及び著作情報を送信すると、カスタマイズ著作装置側では、送信された著作情報に応じてマルチメディアデータをカスタマイズコンテンツとして著作し、ユーザ側にカスタマイズコンテンツを送信することを特徴とする。
【００１１】
更に詳しくは、本発明の装置は、カスタマイズコンテンツを提供するためのユーザ装置において、ユーザマルチメディアデータを外部から受信するデータ入力手段と、前記ユーザマルチメディアデータに対するユーザ著作情報をユーザの要求に応じて設定する著作情報設定手段と、前記ユーザマルチメディアデータ及び前記ユーザ著作情報を符号化してコンテンツデータを生成するデータ符号化手段と、前記生成したコンテンツデータをネットワークを介してカスタマイズコンテンツ著作装置側に送信するデータ送信手段と、前記カスタマイズコンテンツ著作装置側から送信されたカスタマイズデータを受信するデータ受信手段と、前記受信したカスタマイズデータからカスタマイズコンテンツデータを抽出し、当該抽出したカスタマイズコンテンツデータを出力するデータ出力手段とを備える。
【００１２】
また、本発明の他の装置は、カスタマイズコンテンツを提供するための著作装置において、カスタマイズコンテンツユーザ装置側からネットワークを介してコンテンツデータを受信するデータ受信手段と、前記受信されたコンテンツデータのフォーマットを分析してユーザマルチメディアデータ及びユーザ著作情報とに分類し、前記ユーザマルチメディアデータのメタデータを抽出するデータ分析手段と、前記ユーザマルチメディアデータを前記ユーザ著作情報に応じて著作してカスタマイズデータを生成するカスタマイズデータ符号化手段と、前記抽出したメタデータ及び前記ユーザ著作情報を用いてカスタマイズデータに対する新しいメタデータを生成するメタデータ生成手段と、前記生成したカスタマイズデータと前記生成したメタデータとを１つのカスタマイズコンテンツデータとして多重化する多重化手段と、前記カスタマイズコンテンツデータを前記カスタマイズコンテンツユーザ装置側に送信するデータ送信手段とを備える。
【００１３】
なお、本発明の更に他の装置は、前記受信されたコンテンツデータが符号化されていると、前記コンテンツデータを復号化して前記データ分析手段に伝達する復号化手段を更に備える。
【００１４】
一方、本発明の方法は、カスタマイズコンテンツ提供方法において、ユーザマルチメディアデータを外部から受信するデータ入力ステップと、前記ユーザマルチメディアデータに対するユーザ著作情報をユーザの要求に応じて設定する著作情報設定ステップと、前記ユーザマルチメディアデータ及び前記ユーザ著作情報を符号化してコンテンツデータを生成するデータ符号化ステップと、前記生成したコンテンツデータをネットワークを介してカスタマイズコンテンツ著作装置側に送信するデータ送信ステップと、前記カスタマイズコンテンツ著作装置側より送信されたカスタマイズデータからカスタマイズコンテンツデータを抽出し、当該抽出したカスタマイズコンテンツデータを出力するデータ出力ステップとを含む。
【００１５】
また、本発明の他の方法は、カスタマイズコンテンツ著作方法において、カスタマイズコンテンツユーザ装置側からネットワークを介して受信したコンテンツデータのフォーマットを分析してユーザマルチメディアデータ及びユーザ著作情報に分類し、前記ユーザマルチメディアデータのメタデータを抽出するデータ分析ステップと、前記ユーザマルチメディアデータを前記ユーザ著作情報に応じて著作してカスタマイズデータを生成するカスタマイズデータ符号化ステップと、前記抽出したメタデータ及び前記ユーザ著作情報を用いてカスタマイズデータに対する新しいメタデータを生成するメタデータ生成ステップと、前記生成したカスタマイズデータと前記生成したメタデータとを１つに合わせてカスタマイズコンテンツデータとして多重化し、当該多重化したカスタマイズコンテンツデータを前記カスタマイズコンテンツユーザ装置側に送信するデータ送信ステップとを含む。
【００１６】
なお、上記の本発明の更に他の方法は、前記受信されたコンテンツデータが符号化されていると、前記コンテンツデータを復号化する復号化ステップを更に備える。
【発明を実施するための最良の形態】
【００１７】
以下、添付された図面を参照して本発明の好ましい実施形態をさらに詳細に説明する。
図１は、本発明に係るネットワーク基盤のカスタマイズコンテンツ提供システムの一実施形態の構成図である。
同図に示すように、本発明に係るネットワーク基盤のカスタマイズコンテンツ提供システムは、カスタマイズコンテンツユーザ装置１１０及びカスタマイズコンテンツ著作装置１２０を備える。
【００１８】
カスタマイズコンテンツユーザ装置１１０は、加入者端でユーザマルチメディアデータ及びユーザ著作情報を共に符号化してカスタマイズコンテンツ著作装置１２０に送信し、カスタマイズコンテンツ著作装置１２０から送信されたカスタマイズコンテンツデータを受信して加入者端のユーザにブラウジングする。
【００１９】
カスタマイズコンテンツユーザ装置１１０は、パーソナルコンピューター（ＰＣ）や加入者端末装置（ＳＴＢ：Ｓｅｔ−ｔｏｐ  Ｂｏｘ）によって、音楽、停止画像、及び動画のような様々な形態のユーザマルチメディアデータを遠隔地のカスタマイズコンテンツ著作装置１２０に送信する。カスタマイズコンテンツユーザ装置１１０は、画像装置から取得したユーザマルチメディアデータを遠隔地のカスタマイズコンテンツ著作装置１２０に送信することにより、これに相応のカスタマイズコンテンツデータを遠隔地のカスタマイズコンテンツ著作装置１２０からリアルタイムで受信してユーザに提供する。これは、加入者端のユーザがカメラやビデオ装置から取得した画像物を高価なソフトウェア及びハードウェア装置を介して直接編集するという不便をなくすためである。
【００２０】
このとき、カスタマイズコンテンツユーザ装置１１０は、ユーザからいくつかのオプションのみを選択し、個人用カスタマイズコンテンツを容易に著作できるようにする機能を提供でき、かつ、カスタマイズコンテンツの著作時、画像間の特殊効果、字幕入力機能、新しく著作されたマルチメディアの音楽挿入機能、及び既存の画像クリップの音楽除去機能などを提供する。
【００２１】
一方、カスタマイズコンテンツ著作装置１２０は、カスタマイズコンテンツユーザ装置１１０から送信されたコンテンツデータをリアルタイムで個人用カスタマイズコンテンツデータとして著作し、当該著作したカスタマイズコンテンツデータを加入者端のカスタマイズコンテンツユーザ装置１１０に送信する。このために、カスタマイズコンテンツ著作装置１２０は、加入者端のカスタマイズコンテンツユーザ装置１１０から受信したコンテンツデータを編集し、新しいマルチメディアファイル、すなわち、カスタマイズコンテンツデータを生成し、当該生成したカスタマイズコンテンツデータをカスタマイズコンテンツユーザ装置１１０に送信する。
【００２２】
また、カスタマイズコンテンツ著作装置１２０は、カスタマイズコンテンツユーザ装置１１０から送信されたコンテンツデータのオブジェクト間の特殊効果、字幕、及び背景音楽の挿入などの機能を提供する。このために、カスタマイズコンテンツ著作装置１２０は、カスタマイズデータのオブジェクトを合成し、新しく合成されたカスタマイズデータのメタデータを生成する。そして、カスタマイズコンテンツ著作装置１２０は、カスタマイズコンテンツを著作してカスタマイズコンテンツユーザ装置１１０に送信（例えば、ストリーミングダウンロード）する。
【００２３】
図２は、本発明に係る図１のカスタマイズコンテンツ提供のためのユーザ装置の一実施形態の構成図である。
同図に示すように、本発明に係るカスタマイズコンテンツユーザ装置１１０は、マルチメディアデータ入力部２１０、著作情報設定部２２０、データ符号化部２３０、データ送信部２４０、データ受信部２５０、データ出力部２６０、及びデータ格納部２７０を備える。ここで、著作情報設定部２２０は、特殊効果調整部２２１、時間調整部２２２、及び字幕編集部２２３を備える。
【００２４】
以下、カスタマイズコンテンツユーザ装置１１０の構成要素のそれぞれに対して説明すれば、次のとおりである。  
マルチメディアデータ入力部２１０は、ユーザによって様々な画像取得装置（例えば、カメラ、ビデオ装置など）から取得したユーザマルチメディアデータ（例えば、停止画像、動画クリップ、又は背景音楽など）を受信する。ユーザマルチメディアデータは、ユーザの編集しようとする対象コンテンツオブジェクトである。
【００２５】
そして、著作情報設定部２２０は、ユーザの要求に応じてユーザが著作しようとするユーザマルチメディアデータに対するユーザ著作情報を設定する。例えば、著作情報設定部２２０は、ユーザの要求に応じてユーザマルチメディアデータを著作するときに入力しようとする、画像間の特殊効果、字幕、マルチメディアの音楽、又は除去しようとする画像クリップの音楽に対するユーザ著作情報を設定する。このとき、ユーザは、著作情報設定部２２０を介してブラウザ環境で複数個のオプションのみを選択し、ユーザ著作情報を設定することができる。これは、ユーザがカスタマイズコンテンツ（個人用マルチメディアコンテンツ）を容易に著作するためである。
【００２６】
著作情報設定部２２０を詳細に説明すると、特殊効果調整部２２１は、マルチメディアデータ入力部２１０から入力された互いに異なるユーザマルチメディアデータが相互接続される場合、ユーザマルチメディアデータの接続方式による様々な特殊効果情報をユーザから受信する。
そして、時間調整部２２２は、ユーザマルチメディアデータ間に特殊効果を挿入するとき、特殊効果の時間間隔に対する時間調整情報を受信する。
【００２７】
また、字幕編集部２２３は、新しく合成されるカスタマイズコンテンツに挿入しようとする字幕挿入情報（例えば、字幕、字幕の挿入地点、及び挿入期間など）をユーザから受信する。すなわち、ユーザ著作情報には、このような特殊効果情報、時間調整情報、及び字幕挿入情報などが含まれる。
【００２８】
一方、データ符号化部２３０は、マルチメディアデータ入力部２１０から入力されたユーザマルチメディアデータと、著作情報設定部２２０で設定された著作情報とを圧縮符号化してコンテンツデータを生成する。  
そして、データ送信部２４０は、データ符号化部２３０で生成したコンテンツデータをカスタマイズコンテンツ著作装置１２０に送信する。  
その後、データ受信部２５０は、カスタマイズコンテンツ著作装置１２０から送信されたカスタマイズデータストリームを受信する。
【００２９】
次いで、データ出力部２６０は、データ受信部２５０から受信したカスタマイズデータストリームを復号化してカスタマイズコンテンツデータを抽出し、当該抽出したカスタマイズコンテンツデータをユーザに出力又はブラウジングする。データ出力部２６０は、カスタマイズデータストリームをリアルタイムでストリーミングしてユーザに見せることができる。  
このとき、ファイル格納部２７０は、データ受信部２５０から受信したカスタマイズデータをユーザの要求に応じて格納装置に格納する。ファイル格納部２７０は、カスタマイズコンテンツ著作装置１２０で著作したカスタマイズデータをユーザコンピュータやセットトップボックスなどの端末器に格納する。
【００３０】
図３は、本発明に係る図１のカスタマイズコンテンツを提供するための著作装置の一実施形態の構成図である。  
同図に示すように、本発明に係るカスタマイズコンテンツ著作装置１２０は、データ受信部３１０、データ分析部３２０、復号化部３３０、カスタマイズデータ符号化部３４０、メタデータ生成部３５０、多重化部３６０、及びデータ送信部３７０を備える。
データ受信部３１０は、カスタマイズコンテンツユーザ装置１１０から送信されたコンテンツデータストリームを受信する。コンテンツデータストリームには、マルチメディアデータ及びユーザ著作情報が含まれている。ここで、マルチメディアデータは、カスタマイズコンテンツユーザ装置１１０で符号化された形態又はオブジェクト形態で送信され得る。
【００３１】
データ分析部３２０は、データ受信部３１０から受信したコンテンツデータのフォーマットを分析し、コンテンツの種類（例えば、一連の停止画像ストリーム、ビデオクリップストリーム、又は音楽ストリームなど）に応じてコンテンツデータを分類する。また、データ分析部３２０は、分類されたコンテンツデータのメタデータを抽出する。
【００３２】
復号化部３３０は、データ受信部３１０から受信したコンテンツデータが符号化されていると、コンテンツの種類に応じて復号化し、データ分析部３２０に伝達する。例えば、復号化部３３０は、コンテンツデータが圧縮され符号化された画像データであれば、非圧縮画像データに復号化し、コンテンツデータが動画クリップであれば、動画クリップの画像データと音声データとに復号化する。
【００３３】
カスタマイズデータ符号化部３４０は、データ分析部３２０で分類されたコンテンツデータをユーザ著作情報に応じて著作し、カスタマイズデータを生成する。すなわち、カスタマイズデータ符号化部３４０は、コンテンツデータに備えられたユーザマルチメディアデータをユーザ著作情報に応じて編集し（例えば、字幕、音楽、及び特殊効果を挿入する。）、１つの合成マルチメディアデータであるカスタマイズデータに符号化する。例えば、カスタマイズデータ符号化部３４０は、マルチメディア画像データ間に特殊効果を挿入するか、音楽又は字幕を追加又は除去し、１つのマルチメディアデータとして合成する。
【００３４】
図４を参照してカスタマイズデータ符号化部３４０の各構成要素を詳しく後述する。
メタデータ生成部３５０は、データ分析部３２０から抽出した画像のメタデータ及びユーザ著作情報を用いて新しいカスタマイズデータに対するメタデータを生成し、当該生成したメタデータを符号化する。ここで、ユーザ著作情報は、ユーザから入力された各種テキストデータを含み得る。
【００３５】
多重化部３６０は、カスタマイズデータ符号化部３４０で生成したカスタマイズデータと、メタデータ生成部３５０で生成したメタデータとを１つに合わせて、１つのカスタマイズコンテンツデータとして多重化する。
【００３６】
データ送信部３７０は、多重化部３６０で多重化したカスタマイズコンテンツデータをカスタマイズコンテンツユーザ装置１１０に送信する。このとき、データ送信部３７０は、ストリーム形態でカスタマイズコンテンツデータを送信することができる。
【００３７】
図４は、本発明に係る図３のカスタマイズデータ符号化部の一実施形態の詳細構成図である。  
同図に示すように、カスタマイズデータ符号化部３４０は、カスタマイズデータ生成部４１１、著作情報入力部４１２、及び符号化部４１３を備える。ここで、著作情報入力部４１２は、時間調整部４１２１、字幕入力部４１２２、及び特殊効果選択部４１２３を備える。
【００３８】
著作情報入力部４１２は、カスタマイズデータ符号化部３４０に入力された著作情報をカスタマイズデータ生成部４１１に伝達する。ここで、著作情報入力部４１２は、データ分析部３２０から送信されたユーザ著作情報、カスタマイズコンテンツ著作装置１２０に基本的に予め設定されている基本著作情報、又は、カスタマイズコンテンツ著作装置１２０に予め入力されている著作情報のうち、任意に選択された著作情報を受信し、前記受信した著作情報のうちいずれか１つの著作情報をカスタマイズデータ生成部４１１に伝達する。
【００３９】
カスタマイズデータ生成部４１１は、データ分析部３２０で分類された様々なユーザマルチメディアデータを、著作情報入力部４１２から伝達された著作情報に応じて特殊効果、時間、及び字幕などを挿入又は除去する編集過程を介して１つのカスタマイズデータを生成する。
【００４０】
例えば、カスタマイズデータ生成部４１１は、データ分析部３２０から伝達されたユーザマルチメディアデータが停止画像である場合、停止画像間の特殊効果挿入、画像間の時間設定、フレーム単位の字幕挿入などの過程を行ない、背景音楽を挿入することができる。
【００４１】
また、カスタマイズデータ生成部４１１は、データ分析部３２０から伝達されたユーザマルチメディアデータが動画であり、ユーザの要求に応じた著作情報に背景音楽ファイルが含まれていると、各オブジェクト動画クリップにおける背景音楽を除去し、各クリップ画像を１つのマルチメディアファイルとして合成した後、送信された背景音楽ファイルを合成されたマルチメディアファイルに追加してカスタマイズデータを生成することができる。
【００４２】
また、カスタマイズデータ生成部４１１は、ユーザ著作情報に背景音楽ファイルを別途に含まず、動画クリップに対する背景音楽の保存又は除去オプションのみが選択された場合、背景音楽の保存又は除去選択によってオブジェクト動画クリップにおける背景音楽を保存又は除去する。その後、カスタマイズデータ生成部４１１は、動画間の特殊効果挿入及び画像間の時間設定、フレーム単位の字幕挿入などの手続きを経てマルチメディア動画を合成する。この合成過程には、停止画像における合成と同様に、動画間の特殊効果挿入及び画像間の時間設定、フレーム単位の字幕挿入などの過程を含み得る。
【００４３】
以下、カスタマイズデータ生成部４１１を詳しく説明すると、字幕入力部４１２２は、新しい動画の合成時、挿入される字幕に関する字幕挿入情報をデータ分析部３２０から受信してカスタマイズデータ生成部４１１に伝達する。
【００４４】
時間調整部４１２１は、画像間の特殊効果の持続時間設定に関する時間調整情報をデータ分析部３２０から受信してカスタマイズデータ生成部４１１に伝達する。
【００４５】
特殊効果選択部４１２３は、互いに異なる画像データを１つに合わせて編集するとき、画像間の様々なシーン切換に必要な特殊効果の挿入に関する特殊効果情報をデータ分析部３２０から受信してカスタマイズデータ生成部４１１に伝達する。
【００４６】
前述したように、特殊効果情報、時間調整情報、及び字幕挿入情報などを含む著作情報は、データ分析部３２０からユーザによって選択されて送信されたユーザ著作情報、サーバ側で基本的に予め設定されている基本著作情報、又は、サーバ側で予め入力されているものの中から任意に選択された任意著作情報のうち、いずれか１つを意味する。すなわち、時間調整部４１２１、字幕入力部４１２２、及び特殊効果選択部４１２３は、データ分析部３２０から著作情報を受信するか、基本的に予め設定されている著作情報を受信するか、又は、予め入力されているものの中から任意に選択された任意著作情報を受信する。
そして、符号化部４１３は、カスタマイズデータ生成部４１１で生成したカスタマイズコンテンツを圧縮して符号化し、当該符号化したカスタマイズコンテンツを多重化部３６０に伝達する。
【００４７】
図５は、本発明に係るユーザ装置におけるネットワーク基盤のカスタマイズコンテンツ提供方法に対する一実施形態のフローチャートである。  
本発明に係るカスタマイズコンテンツ提供方法について説明すると、マルチメディアデータ入力部２１０は、ユーザによって様々な画像取得装置（例えば、カメラ、ビデオ装置など）から取得したユーザマルチメディアデータ（例えば、停止画像、動画クリップ、又は、背景音楽など）を受信する（Ｓ５０２）。
【００４８】
そして、著作情報設定部２２０は、ユーザからのユーザマルチメディアデータに対する著作情報が入力されたかを確認する（Ｓ５０４）。  
著作情報設定部２２０は、前記確認の結果（Ｓ５０４）、ユーザ著作情報がある場合、ユーザ著作情報を用いて著作環境（例えば、特殊効果、字幕、及び時間設定）を設定する（Ｓ５０６）。それに対し、著作情報設定部２２０は、前記確認の結果（Ｓ５０４）、ユーザ著作情報がない場合、「Ｓ５０８」の過程から行う。
【００４９】
また、データ符号化部２３０は、マルチメディアデータ入力部２１０に入力されたマルチメディアデータと著作情報設定部２２０に入力された著作情報とを１つのコンテンツデータとして多重化し、当該多重化したコンテンツデータを符号化する（Ｓ５０８）。  
次いで、データ送信部２４０は、データ符号化部２３０で符号化されたコンテンツデータをカスタマイズコンテンツ著作装置１２０に送信する（Ｓ５１０）。
【００５０】
その後、データ受信部２５０は、カスタマイズコンテンツ著作装置１２０から送信されるカスタマイズデータストリームを受信し、当該受信したカスタマイズデータストリームからカスタマイズコンテンツデータを抽出する。このとき、カスタマイズコンテンツデータは、ファイルが格納されたか否かによって（Ｓ５１２）、データ格納部２７０に格納され得る（Ｓ５１６）。  
前記格納可否の確認結果（Ｓ５１２）、カスタマイズコンテンツデータを格納しない場合、データ出力部２６０は、送信されたカスタマイズコンテンツデータをユーザに出力する（Ｓ５１４）。
【００５１】
図６は、本発明に係るネットワーク基盤のカスタマイズコンテンツを提供するための著作方法についての一実施形態のフローチャートである。  
データ受信部３１０は、カスタマイズコンテンツユーザ装置１１０から送信されたコンテンツデータを受信する。コンテンツデータには、ユーザマルチメディアデータ及びユーザ著作情報を含んでいる。
【００５２】
データ分析部３２０は、ユーザマルチメディアデータを分析し（Ｓ６０２）、コンテンツの種類（例えば、一連の停止画像ストリーム、ビデオクリップストリーム、又は音楽ストリームなど）に応じてユーザマルチメディアデータを分類し、当該分類したユーザマルチメディアデータに対するメタデータを抽出する。  
データ分析部３２０は、ユーザマルチメディアデータが符号化されているかを確認する（Ｓ６０４）。
【００５３】
前記確認の結果（Ｓ６０４）、カスタマイズデータ符号化部３４０は、マルチメディアデータが符号化されていない場合、データ分析部３２０で分類したユーザマルチメディアデータをユーザ著作情報に応じて著作及び符号化してカスタマイズデータを生成する（Ｓ６０６）。すなわち、カスタマイズデータ符号化部３４０は、データ分析部３２０で分類したユーザマルチメディアオブジェクトデータを、ユーザ著作情報を用いて編集して字幕、音楽、及び特殊効果を挿入し、１つの合成マルチメディアデータに符号化する。例えば、カスタマイズデータ符号化部３４０は、分類されたマルチメディア画像データ間に特殊効果を挿入したり、音楽又は字幕を合成する。
【００５４】
一方、確認の結果（Ｓ６０４）、復号化部３３０は、ユーザマルチメディアデータが符号化されている場合、ビデオ符号化を行う（Ｓ６０８）。例えば、復号化部３３０は、ユーザマルチメディアデータで音声を除去するか、又は、画像クリップを抽出する。続いて、「Ｓ６１０」の過程から行う。
【００５５】
そして、多重化部３６０は、カスタマイズデータ符号化部３４０で生成したカスタマイズデータと、メタデータ生成部３５０で生成した新しいカスタマイズコンテンツデータに対するメタデータとを合わせて１つのカスタマイズコンテンツデータとして多重化する。データ送信部３７０は、多重化部３６０で多重化したカスタマイズコンテンツデータをカスタマイズコンテンツユーザ装置１１０に送信する（Ｓ６１０）。
【００５６】
一方、前述したような本発明の方法は、コンピュータプログラムで作成が可能である。また、前記プログラムを構成するコード及びコードセグメントは、当該分野のコンピュータプログラマーによって容易に推論され得る。なお、前記作成されたプログラムは、コンピュータで読み取り可能な記録媒体（情報格納媒体）に格納され、コンピュータにより読み取って実行されることにより、本発明の方法を実現する。そして、前記記録媒体は、コンピュータで読み取り可能なあらゆる形態の記録媒体を含む。
【００５７】
上記のような本発明は、ユーザ側からマルチメディアデータ（例えば、イメージ、音楽、及びビデオクリップなど）及び著作情報を送信すると、カスタマイズ著作装置側では、送信された著作情報に応じてマルチメディアデータをカスタマイズコンテンツとして著作し、ユーザ側にカスタマイズコンテンツを送信することにより、ユーザにして複数の端末環境を受け入れ、かつ、低価の費用で容易に個人創作コンテンツを著作できるようにするという効果がある。
【００５８】
このような効果を更に詳しく説明すると、次のとおりである。  
第１に、本発明は、従来の一般のユーザが使用し難く、かつ、高価なマルチメディア編集ツール（例えば、Ｐｉｎａｃｌｅ  ｓｔｕｄｉｏ、Ｓｏｎｙ  Ｖｅｇａｓ、又はＡｄｏｂｅ  Ｐｒｅｍｉｅｒｅなど）を敢えて使用しなくとも、コンテンツブラウザ環境内で簡単に特殊効果、字幕、及び背景音楽などのオプションを選択するだけで、遠隔地のサーバから自動的にマルチメディア編集を実行し、リアルタイムにコンテンツをユーザに提供することにより、ユーザに対し専門的な画像編集知識を要求しないという効果がある。
【００５９】
第２に、本発明は、コンテンツ著作のためのツールをサーバ環境に置くことによって、ユーザ端末器のハードウェア性能に関係がないばかりでなく、ユーザが高価なソフトウェア編集ツールを購買する必要もなく、また、周期的なプログラムアップデートをサーバ環境で管理することから、ユーザの便宜性が増大し、低費用、高効率の最適の作業環境が構築され得るという効果がある。
【００６０】
第３に、本発明は、一般のユーザが容易に個人用カスタマイズコンテンツを製作することにより、最近流行しているＵＣＣ（Ｕｓｅｒ  Ｃｒｅａｔｅｄ  Ｃｏｎｔｅｎｔｓ：ユーザ製作コンテンツ）環境の基盤コンテンツを設けるとともに、高付加価値の産業化に大きく寄与することができるという効果がある。
【００６１】
本発明は、上記の実施形態に限定されるものではなく、本発明に係る技術的思想から逸脱しない範囲内で様々な変更が可能であり、それらも本発明の技術的範囲に属する。
【図面の簡単な説明】
【００６２】
【図１】本発明に係るネットワーク基盤のカスタマイズコンテンツ提供システムの一実施形態の構成図である。
【図２】本発明に係る図１のカスタマイズコンテンツを提供するためのユーザ装置の一実施形態の構成図である。
【図３】本発明に係る図１のカスタマイズコンテンツを提供するための著作装置の一実施形態の構成図である。
【図４】本発明に係る図３のカスタマイズデータ符号化部の一実施形態の詳細構成図である。
【図５】本発明に係るユーザ装置におけるネットワーク基盤のカスタマイズコンテンツ提供方法に関する一実施形態のフローチャートである。
【図６】本発明に係るネットワーク基盤のカスタマイズコンテンツを提供するための著作方法に関する一実施形態のフローチャートである。
【符号の説明】
【００６３】
１１０  カスタマイズコンテンツユーザ装置
１２０  カスタマイズコンテンツ著作装置
２１０  マルチメディアデータ入力部
２２０  著作情報設定部
２３０  データ符号化部
２４０  データ送信部
２５０  データ受信部
２６０  データ出力部
２７０  データ格納部
３１０  データ受信部
３２０  データ分析部
３３０  復号化部
３４０  カスタマイズデータ符号化部
３５０  メタデータ生成部
３６０  多重化部
３７０  データ送信部
【図１】
2009089350.tif 000003
【図２】
2009089350.tif 000004
【図３】
2009089350.tif 000005
【図４】
2009089350.tif 000006
【図５】
2009089350.tif 000007
【図６】
2009089350.tif 000008